(57)【要約】      （修正有）【課題】一枚の段ボールを展開形状に形成し折り曲げ・折り重ねるだけで水平面部が三枚重ね、垂直面部が二枚重ねるとなるコーナパッドを提供すること。【解決手段】直角三角形の外側水平面部１１と、中重ね三角面部１２と、一対の外側垂直面部１４ａ、１４ｂと、一対の内側垂直面部１５ａ、１５ｂと、一対の内側水平面部１３ａ、１３ｂとを含んだ展開形状に一枚の段ボールが打ち抜かれ、かつ、折り曲げ位置にハーフカット又はミシン目状カットを入れられ、外側水平面部１１と中重ね三角面部１２と内側水平面部１３ａ、１３ｂとの重なりで構成された複合水平面部Ａと、及び、外側垂直面部１４ａ又は１４ｂと内側垂直面部１５ａ又は１５ｂとの重なりで構成された複合水平面部Ａの直角二等辺三角形の各垂辺より折り曲げ立ち上がる一対の複合垂直面部Ｂ，Ｃとからなり、一対の垂直面部Ｂ，Ｃに備えた被係合部１６ａ２と係合部１６ｂ２とが係合して互いの垂直状態を保持する。【選択図】図３
0003141852.tif 000002
【実用新案登録請求の範囲】
【請求項１】
被梱包物品の上面又は下面の隅角部と該被梱包物品を梱包する外装箱の隅角部との間に配置して前記被梱包物品の隅角部を保護するコーナパッドであって、
直角三角形の外側水平面部と、前記外側水平面部の斜辺より外方へ延在する中重ね三角面部と、前記外側水平面部の２つの垂辺より外方へ延在する一対の外側垂直面部と、前記各外側垂直面部の端縁より外方へ延在する一対の内側垂直面部と、前記内側垂直面部の端縁より外方へ延在する内側水平面部と、を含んだ展開形状に一枚の段ボールが打ち抜かれ、かつ、折り曲げ位置にハーフカット又はミシン目状カットを入れられていて折り曲げ・折り重ねられることにより、
前記外側水平面部と前記中重ね三角面部と前記内側水平面部との重なりで構成された複合水平面部と、及び、前記外側垂直面部と前記内側垂直面部との重なりで構成され前記複合水平面部の直角二等辺三角形の各垂辺より折り曲げ立ち上がる一対の複合垂直面部と、からなる垂直三面体が構成され、
前記一対の垂直面部には、一方に被係合部が、他方に係合部が分配して備えられ、該被係合部と該係合部とが係合して互いの垂直状態を保持するように構成されている、
ことを特徴とするコーナパッド。
【考案の詳細な説明】
【技術分野】
【０００１】
本考案は、被梱包物品の上面又は下面の隅角部と該被梱包物品を梱包する外装箱の隅角部との間に配置して被梱包物品の隅角部を保護し位置固定するコーナパッドに関するものである。
【背景技術】
【０００２】
例えば、電気製品や家具などの被梱包物品は、外装体（例えばダンボール箱）に納めて取り扱われる。被梱包物品と外装体との間には隙間が確保され、被梱包物品の上面及び下面の隅角部と該被梱包物品を梱包する外装箱の隅角部との間に位置固定用のコーナパッドが配置される。コーナパッドは、被梱包物品の隅角部を保護しかつ被梱包物品を動かないように固定し、被梱包物品と外装箱との隙間を確保して被梱包物品の隅角部以外の部分についても保護する役目を果たす。従来のコーナパッドには、発泡スチロールが使用されてきたが、廃材処理等に問題があり、段ボール製のものに変わってきている。
【０００３】
段ボール製のコーナパッドは、例えば特許文献１〜３に提案されている。
特許文献１のコーナー用緩衝体は、一枚の段ボールを展開形状に打ち抜き、かつ、折り曲げ位置にハーフカット又はミシン目状カットを入れ折り曲げ・折り重ね・糊付けすることにより、中空な垂直三面体が構成されている。
特許文献２の角保護体は、一枚の段ボールを展開形状に打ち抜き、かつ、折り曲げ位置に切れ目又は折目を入れ折り曲げ・折り重ねることにより、４枚重ねの垂直三面体が構成されている。
特許文献３のコーナパッドは、一枚の段ボールを展開形状に打ち抜き、かつ、折り曲げ位置に切れ目又は折目を入れ折り曲げ・折り重ねることにより、中空な一面体を三つ構成し、三つの一面体を互いに垂直に配置し連結して垂直三面体が構成されている。
【０００４】
【特許文献１】特開平９−１１８３６９号
【特許文献２】特開平５−１３９４６６号
【特許文献３】特開２００６−２８４１１１号
【考案の開示】
【考案が解決しようとする課題】
【０００５】
しかしながら、特許文献１〜３の段ボール製のコーナパッドは、以下のような問題点がある。特許文献１のコーナー用緩衝体は、糊付けを行なって組み立てるので組み立てに時間がかかり、また大きな空洞部があるので潰れが生じ大きな隙間を埋める場合に適用され大きな隙間ができる外装体の段ボールを用意する必要がある。特許文献２の角保護体は、４枚重ねであり段ボールを多く必要としコスト高となり、組み立てに比較的時間を要する。特許文献３のコーナパッドは、中空な一面体を組み立てるだけでも時間がかかり、段ボールを多く必要としコスト高となる。
【０００６】
本考案は、上記の問題点に鑑みなされたもので、その課題は、一枚の段ボールを展開形状に形成し、折り曲げ・折り重ねるだけで、水平面部が三枚重ね、垂直面部が二枚重ねるとなる垂直三面体のコーナパッドとなり、段ボールの使用量が少なくてすむので製造単価を低く抑えられ、展開形状から立体形状に折り上げることが従来よりも極めて容易・迅速に行えるから梱包作業を効率的に行うことができるコーナパッドを提供することにある。
【課題を解決するための手段】
【０００７】
上記課題を解決するため、本考案のコーナパッドは、被梱包物品の上面又は下面の隅角部と該被梱包物品を梱包する外装箱の隅角部との間に配置して前記被梱包物品の隅角部を保護するコーナパッドであって、直角三角形の外側水平面部と、前記外側水平面部の斜辺より外方へ延在する中重ね三角面部と、前記外側水平面部の２つの垂辺より外方へ延在する一対の外側垂直面部と、前記各外側垂直面部の端縁より外方へ延在する一対の内側垂直面部と、前記内側垂直面部の端縁より外方へ延在する内側水平面部と、を含んだ展開形状に一枚の段ボールが打ち抜かれ、かつ、折り曲げ位置にハーフカット又はミシン目状カットを入れられていて折り曲げ・折り重ねられることにより、前記外側水平面部と前記中重ね三角面部と前記内側水平面部との重なりで構成された複合水平面部と、及び、前記外側垂直面部と前記内側垂直面部との重なりで構成され前記複合水平面部の直角二等辺三角形の各垂辺より折り曲げ立ち上がる一対の複合垂直面部と、からなる垂直三面体が構成され、前記一対の垂直面部には、一方に被係合部が、他方に係合部が分配して備えられ、該被係合部と該係合部とが係合して互いの垂直状態を保持するように構成されていることを特徴とする。
【考案の効果】
【０００８】
本考案のコーナパッドによれば、一枚の段ボールを展開形状に形成し、折り曲げ・折り重ねるだけで、水平面部が三枚重ね、垂直面部が二枚重ねるとなる垂直三面体のコーナパッドとなり、段ボールの使用量が少なくてすむので製造単価を低く抑えられ、展開形状から立体形状に折り上げることが従来よりも極めて容易・迅速に行える。
【考案を実施するための最良の形態】
【０００９】
以下、本考案の実施形態のコーナパッドについて、添付図面を参照しつつ説明する。
【００１０】
（第１の実施形態）
図１に示すように、コーナパッド１Ａは、被梱包物品Ｗの上面及び（又は）下面の隅角部と、該被梱包物品Ｗを梱包する外装箱Ｐの隅角部との間に配置され、被梱包物品Ｗの隅角部を保護しかつ被梱包物品Ｗを動かないように固定し、被梱包物品Ｗと外装箱Ｐとの隙間を確保して被梱包物品Ｗの隅角部以外の部分についても保護する段ボール製の緩衝体である。
【００１１】
コーナパッド１Ａは、図２（ａ）に示すコーナパッド展開パネルＤ１の展開図から分かるように、一枚の段ボールを、外側水平面部１１と、中重ね三角面部１２と、一対の外側垂直面部１４ａ、１４ｂと、一対の内側垂直面部１５ａ、１５ｂと、内側水平面部１３ａ、１３ｂと、被係合部（凹状部）１６ａと係合部１６ｂ（凸状部）とを含んで展開形状に打ち抜かれていると共に、図２（ｂ）に示すように、折り曲げ位置にハーフカットＫ１、Ｋ２，Ｋ３及びミシン目状カットＫ４を入れられていることにより、図５に示すように、折り曲げ・折り重ねることで、図３、図４に示すように、外側水平面部１１と中重ね三角面部１２と内側水平面部１３ａ、１３ｂとからなる三枚折り重ねの複合水平面部Ａと、外側垂直面部１４ａ又は１４ｂと内側垂直面部１５ａ又は１５ｂとからなる二枚重ねの一対の複合垂直面部Ｂ，Ｃとを備えた垂直三面体に折り上げられ、一対の垂直面部Ｂ，Ｃの垂直辺に分配して備えられた被係合部１６ａ１，１６ａ２と係合部１６ｂ１，１６ｂ２とが係合して互いの垂直状態を保持するように構成されてなる。
以下、さらに詳述する。
【００１２】
コーナパッド１Ａの素材は段ボールである。段ボールは、ライナー（平板紙）間にフルート（波形加工した中芯）を貼り付けてなり、この実施形態では、Ｗフルートと呼ばれる段ボールが使用されているが、これに限定されない。
【００１３】
ハーフカットＫ１、Ｋ２，Ｋ３及びミシン目状カットＫ４は、各面部間の仕切り線に相当する位置に設けられている。この明細書で、「ハーフカット」とは、段ボールの片側（ここでは、外面側（図２（ｂ）において下側）のライナー及びフルートがカットされていると共に、内面側（図２（ｂ）において上側）のライナー（平板紙）には谷折りの折目がつけられている状態をいい、また「ミシン目状カット」とは、外面側のライナーから内面側のライナーまでを貫通した断続する突き入れカットを有し易折曲性を付与されている状態をいうものとする。
【００１４】
図２〜図５を参照してコーナパッド１Ａを構成するコーナパッド展開パネルＤ１の各面部を説明する。
外側水平面部１１は、二等辺三角形であればよいが、この実施形態では直角二等辺三角形である。中重ね三角面部１２は、外側水平面部１１よりも若干小さい二等辺三角形である。外側水平面部１１の斜辺と中重ね三角面部１２の斜辺とは一致していて、仕切り線に対応し外面側（下面）より第１のハーフカットＣ１を付与されていることにより、中重ね三角面部１２を外側水平面部１１の内面（上面）に折り重ねる構成となっているが、折り重ねたとき、中重ね三角面部１２の二等辺は、外側水平面部１１の二等辺に段ボールの板厚分だけ届かず一致していない。このずれは、組立性を良くするために設けられている。
【００１５】
一対の外側垂直面部１４ａ、１４ｂは、外側水平面部１１の直角を構成する二等辺より外方へ延在している。外側垂直面部１４ａ、１４ｂは、外側水平面部１１の二等辺の一つと一致する底辺と、底辺に対して直角な垂辺と、底辺に対して平行な上辺と、及び斜辺とからなる台形に形成されている。外側水平面部１１と内側垂直面部１５ａ、１５ｂとの仕切り線に対応し、外面側（下面）より第２のハーフカットＣ２を付与されていることにより、外側水平面部１１に対して内側垂直面部１５ａ、１５ｂを図５（ｂ）の矢印ｅの方向へ垂直に立ち上げられる。
【００１６】
外側垂直面部１４ｂは、垂辺が、外側水平面部１１の直角な角部の頂点に一致して垂直に立ち上がるようになっていて、該垂直に立ち上がった状態のとき、立ち上がり内面が外側水平面部１１の二等辺の一つと一致する。従って、外側垂直面部１４ｂは、立ち上がり外面が外側水平面部１１の二等辺の一つを通る垂直面よりも板厚分だけ外側に位置する。
外側垂直面部１４ａは、垂辺が、外側垂直面部１４ｂの立ち上がり外面に一致して垂直に立ち上がるようになっている。従って、外側垂直面部１４ａ、１４ｂを垂直に立ち上げたとき、外側垂直面部１４ａの立ち上がり内面が外側垂直面部１４ｂの垂辺の端面に当接するようになっている。
【００１７】
一対の内側垂直面部１５ａ、１５ｂは、各外側垂直面部１４ａ又は１４ｂの上辺より外方へ延在し、仕切り線に対応し外面側（下面）より第３のハーフカットＣ３を付与され各外側垂直面部１４ａ又は１４ｂ内面側に折り重なる台形に形成されている。内側垂直面部１５ａ、１５ｂは、外側垂直面部１４ａ又は１４ｂの上辺の一つと一致する上辺と、上辺に対して直角な垂辺と、上辺に対して平行な底辺と、及び斜辺とからなる台形に形成されている。内側垂直面部１５ａ、１５ｂを外側垂直面部１４ａ又は１４ｂに折り重ねたとき、内側垂直面部１５ａ、１５ｂの底辺は、外側垂直面部１４ａ又は１４ｂの底辺に板厚分だけ届かず一致していない。このずれは、内側垂直面部１５ａ、１５ｂを中重ね三角面部１２に折り重ねる組立性を良くするために設けられている。
【００１８】
内側水平面部１３ａ、１３ｂは、内側垂直面部１５ａ、１５ｂとの仕切り線より外方へ延在し、中重ね三角面部１２を二等分した大きさである。内側水平面部１３ａ、１３ｂは、内側垂直面部１５ａ、１５ｂを図５（ｂ）の矢印ｆの方向に外側垂直面部１４ａ又は１４ｂに折り重ね、さらに外側垂直面部１４ａ、１４ｂを図５（ｃ）の矢印ｇの方向に垂直に折り上げたときに、内側垂直面部１５ａ、１５ｂとの仕切り線に対応し付与されている内面側にミシン目状カットＣ４より折り曲げることにより、中重ね三角面部１２の半部に重ねられ、中重ね三角面部１２の底辺に関して垂直二等分線の位置で互いに端面を当接して垂直に折り曲った状態を自己保持するようになっている。
【００１９】
外側垂直面部１４ａの垂辺と内側垂直面部１５ａの垂辺には、被係合部となる凹部１６ａ１，１６ａ２が形成されている。また外側垂直面部１４ｂの垂辺と内側垂直面部１５ｂの垂辺には、係合部となる突部１６ｂ１，１６ｂ２が形成されている。
外側垂直面部１４ａに設けられた凹部１６ａ１と、内側垂直面部１５ａに設けられた凹部１６ａ２は、外側垂直面部１４ａと内側垂直面部１５ａとの谷折り線に関して寸法ａ１だけ離れて、切り欠き幅ｂ１となるように形成されており、外側垂直面部１４ａと内側垂直面部１５ａとが重なるとき、凹部の幅方向が互いに一致して重なり被係合部となる。
同様に、外側垂直面部１４ｂに設けられた凸部１６ｂ１と、内側垂直面部１５ｂに設けられた凸部１６ｂ２は、内側垂直面部１４ｂと外側垂直面部１５ｂとの谷折り線に関して寸法ａ１だけ離れて、切り欠き幅ｂ１となるように形成されており、外側垂直面部１４ａと内側垂直面部１５ａとが重なるとき、凹部の幅方向が互いに一致して重なり係合部となる。凸部１６ｂ１の基部にはミシン目Ｋ５が設けられている。
そして、凹部１６ａ１，１６ａ２からなる被係合部と、突部１６ｂ１，１６ｂ２からなる係合部とは、内側垂直面部１４ａと外側垂直面部１５ａを折り重ねてなる垂直面部Ｂと、内側垂直面部１４ｂと外側垂直面部１５ｂを折り重ねてなる垂直面部Ｃと、を垂直状態にしたときに、凸部１６ｂ２を凹部１６ａ２に係合させ、矢印形の凸部１６ｂ１をミシン目Ｋ５より直角に折り曲げて矢印形の凹部１６ａ２に強制嵌合させることにより、互いに垂直状態を保持しうる。
【００２０】
コーナパッド１Ａを組み立てるには、まず、ハーフカットＫ１、Ｋ２，Ｋ３及びミシン目状カットＫ４、Ｋ５が設けられたところに、それぞれしっかり折癖をつける。そして、図５（ａ）の矢印ｅの方向に外側水平面部１１の上に中重ね三角面部１２を折り重ね、内側垂直面部１５ａ、１５ｂを図５（ｂ）の矢印ｆの方向に外側垂直面部１４ａ又は１４ｂの上に折り重ねさらに外側垂直面部１４ａ、１４ｂを図５（ｃ）の矢印ｇの方向に垂直に折り上げ、内側水平面部１３ａ、１３ｂを中重ね三角面部１２の上に折り重ね、凹部１６ａ１，１６ａ２からなる被係合部と、突部１６ｂ１，１６ｂ２からなる係合部とを係合させると、三枚折り重ねの複合水平面部Ａと、二枚重ねの一対の複合垂直面部Ｂ，Ｃとを備えた垂直三面体に折り上げたコーナパッド１Ａの組み立てが完了する。
【００２１】
本考案のコーナパッド１Ａによれば、外装体であるダンボール箱や木箱などの内部隅角部に配置され、被梱包物品Ｗの隅角部を保護しかつ被梱包物品Ｗを動かないように固定し、被梱包物品Ｗと外装箱Ｐとの隙間を確保して被梱包物品Ｗの隅角部以外の部分についても保護する段ボール製の緩衝体として使用することができる。
本考案のコーナパッド１Ａによれば、一枚の段ボールを展開形状に形成し、折り曲げ・折り重ねるだけで、水平面部が三枚重ね、垂直面部が二枚重ねるとなる垂直三面体のコーナパッドとなり、段ボールの使用量が少なくてすむので製造単価を低く抑えられ、展開形状から立体形状に折り上げることが従来よりも極めて容易・迅速に行えるから梱包作業を効率的に行うことができ、粘着テープや接着剤を用いずに立体形状を保持できる。
【００２２】
（第２の実施形態）
図６、図７を参照してこの実施形態のコーナパッド１Ｂについて説明する。
図６に示すコーナパッド展開パネルＤ２の展開図と、図７に示すコーナパッド１Ｂの背面斜め下方から視た斜視図とから分かるように、外側垂直面部１４ａと内側垂直面部１５ａの垂辺には被係合部となる矩形孔１６ａが形成され、また外側垂直面部１４ｂと内側垂直面部１５ｂの垂辺には脱出防止用の爪を備えた凸状の係合部１６ｂ’が形成され、複合垂直面部Ｂ，Ｃが垂直に折り上げられたときに被係合部１６ａ’と係合部１６ｂ’とが強制嵌合する、という構成部分が、第１の実施形態と相違している。
詳述すると、２つの矩形孔１６ａ’は、外側垂直面部１４ａと内側垂直面部１５ａとの谷折り線に関して寸法ａ２だけ離れて、切り欠き幅ｂ２となるように形成されており、外側垂直面部１４ａと内側垂直面部１５ａとが重なるとき、互いに一致して重なり被係合部１６ａ’となる。
同様に、外側垂直面部１４ｂと内側垂直面部１５ｂに設けられた２つの爪付き凸部１６ｂ’は、内側垂直面部１４ｂと外側垂直面部１５ｂとの谷折り線に関して寸法ａ２だけ離れて、首幅ｂ１となるように形成されており、外側垂直面部１４ｂと内側垂直面部１５ｂとが重なるとき、互いに一致して重なり係合部１６ｂ’となる。
そして、被係合部１６ａ’と係合部１６ｂ’は、一対の垂直面部Ｂ，Ｃの互いの垂直状態を保持するように堅く強制嵌合しうる。
この実施形態のコーナパッド１Ｂについて、その他の構成・作用・効果は第１の実施形態のコーナパッド１Ａの場合と同一であるので、対応する部材・部分に同一符号を付して説明を省略する。
【００２３】
（第３の実施形態）
図８、図９を参照してこの実施形態のコーナパッド１Ｃについて説明する。
図８に示すコーナパッド展開パネルＤ３の展開図と、図９に示すコーナパッド１Ｃの背面斜め下方から視た斜視図とから分かるように、外側垂直面部１４ａ、１４ｂ及び内側垂直面部１５ａ、１５ｂが、第１の実施形態のコーナパッド１Ａでは台形に形成されているのに対して、この実施形態のコーナパッド１Ｃでは矩形に形成されている点、及び３つの被係合部１６ａ”、１６ａ”’と３つの係合部１６ｂ”、１６ｂ”’が設けられている点が、第１の実施形態と相違している。
詳述すると、２つの被係合部１６ａ”の間に、３つ目の被係合部１６ａ”’が設けられている。２つの被係合部１６ａ”は、外側垂直面部１４ａ”と内側垂直面部１５ａ”とが重なるとき、互いに一致して重なり被係合部１６ａ”となる。３つ目の被係合部１６ａ”’は、折り線に対して図中寸法ａ３とｂ３とで示すようにずれていて、外側垂直面部１４ａ”と内側垂直面部１５ａ”とが重なるとき、内面側が高く外面側が低くなる段差ができて被係合部１６ａ”’となる。
また、２つの被係合部１６ａ”の間に、３つ目の被係合部１６ａ”’が設けられている。２つの凸部１６ｂ”は、外側垂直面部１４ｂ”と内側垂直面部１５ｂ”とが重なるとき、互いに一致して重なり係合部１６ｂ”となる。３つ目の係合部１６ａ”’は、折り線に対して対称的に設けられていて、外側垂直面部１４ａ”と内側垂直面部１５ａ”とが重なるとき、Ｌ字形の係合部１６ａ”’となる。
そして、被係合部１６ａ”と係合部１６ｂ”とが嵌合し、被係合部１６ａ”’と係合部１６ｂ”’とが嵌合し、一対の垂直面部Ｂ，Ｃの互いの垂直状態を保持するように堅く強制嵌合しうる。
この実施形態のコーナパッド１Ｃについて、その他の構成・作用・効果は第１の実施形態のコーナパッド１Ａの場合と同一であるので、対応する部材・部分に同一符号を付して説明を省略する。
【００２４】
（その他の実施形態）
本考案は上記実施の形態にこれに限定されるものでなく、実用新案登録請求の範囲に記載された考案の要旨を逸脱しない範囲内での種々、設計変更した形態を技術的範囲に含むものである。
例えば、第１の実施形態の一枚の段ボールよりなる展開形状を左右勝手反対に形成してもよい。あるいは、被係合部と係合部とを他の係合形状としてもよい。
本考案に係るコーナパッドは、被梱包物品と外装箱との間への固定のために、粘着テープや接着剤を併用することを妨げない。
【図面の簡単な説明】
【００２５】
【図１】本考案の第１の実施形態に係るコーナパッドの使用状態を示す斜視図である。
【図２】（ａ）は、本考案に係るコーナパッドの展開形状図であり、（ｂ）は、（ａ）のIIｂ−IIｂ線に沿った模式的な断面図である。
【図３】本考案の実施の形態１に係るコーナパッドを正面斜め上方から視た斜視図である。
【図４】図３のコーナパッドを背面斜め下方から視た斜視図である。
【図５】図１のコーナパッドの組立工程を説明するための斜視図である。
【図６】本考案の第２の実施形態に係るコーナパッドの展開形状図である。
【図７】図６のコーナパッドを背面斜め下方から視た斜視図である。
【図８】本考案の第３の実施の形態に係るコーナパッドの展開形状図である。
【図９】図８のコーナパッドを背面斜め下方から視た斜視図である。
【符号の説明】
【００２６】
Ｗ  被梱包物品
Ｐ  外装箱
１Ａ、１Ｂ，１Ｃ  コーナパッド
Ｄ１、Ｄ２、Ｄ３  コーナパッド展開パネル
Ａ  複合水平面部
Ｂ,Ｃ  複合垂直面部
１１  外側水平面部
１２  中重ね三角面部
１３ａ、１３ｂ  内側水平面部
１４ａ、１４ａ”、１４ｂ、１４ｂ”  外側垂直面部
１５ａ、１５ａ”、１５ｂ、１５ｂ”  内側垂直面部
１６ａ１、１６ａ２、１６ａ’、１６ａ”、１６ａ”’  凹部（被係合部）
１６ｂ１、１６ｂ２、１６ｂ’、１６ｂ”、１６ｂ”’  凸部（係合部）
【図１】
0003141852.tif 000003
【図２】
0003141852.tif 000004
【図３】
0003141852.tif 000005
【図４】
0003141852.tif 000006
【図５】
0003141852.tif 000007
【図６】
0003141852.tif 000008
【図７】
0003141852.tif 000009
【図８】
0003141852.tif 000010
【図９】
0003141852.tif 000011